(57)【要約】      （修正有）【課題】乳児に対して実用的なおむつ入りぬいぐるみを提供する。【解決手段】第１部品としての乳児用衣服１０１と、乳児用衣服１０１の内部に挿入された第２部品としての複数のおむつと、乳児用衣服１０１の一部を一時的に縛り、および／または、一部に取り外し可能に取り付けられた第３部品としての装飾品と、を含む、動物、空想上の生物、または擬人化されたマスコットを象ったぬいぐるみ１００。【選択図】図１
0003187693.tif 000002
【実用新案登録請求の範囲】
【請求項１】
第１部品としての乳児用衣服と、
前記乳児用衣服の内部に挿入された第２部品としての複数のおむつと、
前記乳児用衣服の一部を一時的に縛り、および／または、一部に取り外し可能に取り付けられた第３部品としての装飾品と、
を含む、動物、空想上の生物、または擬人化されたマスコットを象ったぬいぐるみ。
【請求項２】
前記乳児用衣服は、ロンパースおよび靴下を含むことを特徴とする請求項１に記載のぬいぐるみ。
【請求項３】
前記ロンパースのトップス側を用いて前記ぬいぐるみの胴体を成形し、
前記ロンパースのボトムス側を用いて前記ぬいぐるみの頭部を成形したことを特徴とする請求項２に記載のぬいぐるみ。
【請求項４】
前記ぬいぐるみを分解することにより、前記第１部品および第２部品により、はだかの乳児の全身を被服できることを特徴とする請求項１、２または３に記載のぬいぐるみ。
【請求項５】
前記おむつを、がさがさ音を発生させる、ナイロン、ポリエチレン、ポリプロピレン、および塩化ビニールの少なくとも一つを材料とする袋で包装した上で前記乳児用衣服の内部に挿入したことを特徴とする請求項１乃至４のいずれか１項に記載のぬいぐるみ。
【考案の詳細な説明】
【技術分野】
【０００１】
本考案は、ぬいぐるみに関する。
【背景技術】
【０００２】
上記技術分野において、特許文献１には、動物などのキャラクターに形成されたぬいぐるみの少なくとも胴体部分を、哺乳瓶などから構成される乳児用緊急持出し用品の収納空間とし、その背面部をファスナーにより開閉可能に閉じたものが開示されている。
【先行技術文献】
【特許文献】
【０００３】
【特許文献１】実用新案登録第３１１７０６６号公報
【考案の概要】
【考案が解決しようとする課題】
【０００４】
しかしながら、上記文献に記載の技術では、収納空間から必要なものを取り出した後は、ぬいぐるみの内部に代わりになるものを詰め込まなければならず、使い勝手はよくなかった。
【０００５】
本考案の目的は、上述の課題を解決する技術を提供することにある。
【課題を解決するための手段】
【０００６】
上記目的を達成するため、本考案に係るぬいぐるみは、
第１部品としての乳児用衣服と、
前記乳児用衣服の内部に挿入された第２部品としての複数のおむつと、
前記乳児用衣服の一部を一時的に縛り、および／または、一部に取り外し可能に取り付けられた第３部品としての装飾品と、
を含み、動物、空想上の生物、または擬人化されたマスコットを象る。
【考案の効果】
【０００７】
本考案によれば、乳幼児に対して実用的なぬいぐるみを提供できる。
【図面の簡単な説明】
【０００８】
【図１】本考案の第１実施形態に係るぬいぐるみの構成を示す図である。
【図２】本考案の第１実施形態に係るぬいぐるみの構成を示す図である。
【図３】本考案の第１実施形態に係るぬいぐるみの構成を示す図である。
【考案を実施するための形態】
【０００９】
以下に、図面を参照して、本考案の実施の形態について例示的に詳しく説明する。ただし、以下の実施の形態に記載されている構成要素はあくまで例示であり、本考案の技術範囲をそれらのみに限定する趣旨のものではない。
【００１０】
［第１実施形態］
本考案の第１実施形態としてのぬいぐるみ１００について、図１乃至図３を用いて説明する。一般的にぬいぐるみとは、型紙に合わせて裁断された布を縫合し、綿やプラスティック片、蕎麦殻などを内部に詰め、動物やある特定のキャラクター等に似せて成型したものをいうが、本考案としてのぬいぐるみは、型紙に合わせて裁断された布も縫合も必要としない。
【００１１】
図１に示すぬいぐるみ１００は、主に出産祝いとして贈答されることを目的として形成された動物、空想上の生物、または擬人化されたマスコットを象ったぬいぐるみである。この例では、乳児用衣服としてのロンパース１０１と靴下１０２とを含み、さらに、よだれかけ１０３を含んでいる。本校案にかかるぬいぐるみを構成する乳児用衣服はこれらに限定されるものではない。例えば、よだれかけ１０３の代わりにタオルやおくるみなどを利用してぬいぐるみの下半身を形成してもよい。
【００１２】
このように乳児が身につけるものでぬいぐるみを形成したので、このぬいぐるみを貰った乳児の親は、ぬいぐるみを観賞用や乳児の玩具として利用するほかに、分解して乳児に着せたり、おむつを使用したりして実用的に利用することができる。
【００１３】
図１の左側に示す裸の乳児１１０とぬいぐるみ１００との組合せは、ぬいぐるみ１００を分解すれば、右側に示す乳児１１０の全身をまるごと被服した状態に変化させることができる。
【００１４】
図２は、ぬいぐるみ１００の構成図である。ぬいぐるみ１００は、乳児用衣服としてのロンパース１０１、靴下１０２およびよだれかけ１０３と、これらの内部に挿入される複数のおむつ１０４と、乳児用衣服１０１〜１０３の一部を一時的に縛り、および／または、一部に取り外し可能に取り付けられた装飾品１０５と、を含む。
【００１５】
ロンパース１０１のトップス側１０１ａを用いてぬいぐるみ１００の胴体１０１ａを成形し、ロンパース１０１のボトムス側１０１ｂを用いてぬいぐるみ１００の頭部１０１ｂを成形している。つまり、ロンパース１０１は、上下逆さまに使用され、ロンパース１０１の足部分をぬいぐるみの耳に形成する。
【００１６】
おむつ１０４は、がさがさ音を発生させる、ナイロン、ポリエチレン、ポリプロピレン、および塩化ビニールの少なくとも一つを材料とする袋１０６で包装した上でロンパース１０１の内部に挿入している。これにより、ぬいぐるみ１００を触った乳児に対し、がさがさ音によって泣き止ませる、気分を落ち着かせるといった効果もある（「The Happiest Baby on the Block: The New Way to Calm Crying and Help Your Newborn Baby Sleep Longer」Harvey Karp  2003/5/27発売）。
【００１７】
図３に示すように、ぬいぐるみ１００の内部には、複数の（ここでは例として４つの）紙おむつ１０４が挿入されている。このとき、紙おむつ１０４を袋１０６に挿入し、袋１０６に熱処理やカッティングや貼着処理などを施して形状を整えた上で、ロンパース１０１や靴下１０２に挿入される。このとき、各種メーカーのおむつをばらばらに入れて、乳幼児にあうメーカのおむつを試してもらってもよいし、あらかじめ、乳幼児にあったメーカのおむつを挿入してもよい。ここでは紙おむつとしたが、布おむつでもよい。またここでは４つの紙おむつを挿入しているが、３つ以下でも５つ以上でも良い。
【００１８】
以上の構成により、乳児に対して実用的なぬいぐるみを提供できる。
【００１９】
［他の実施形態］
以上、実施形態を参照して本願考案を説明したが、本願考案は上記実施形態に限定されるものではない。本願考案の構成や詳細には、本願で実用新案登録請求の範囲内で当業者が理解し得る様々な変更をすることができる。
【図１】
0003187693.tif 000003
【図２】
0003187693.tif 000004
【図３】
0003187693.tif 000005